(57)【特許請求の範囲】
【請求項１】
ネットワーク通信によりカラオケ端末装置とカラオケホスト装置との通信を行うとともに、ローカル通信によりカラオケ端末装置と選曲予約装置との通信を行うカラオケ装置であって、
前記選曲予約装置は利用者ＩＤを伴ったログイン操作手段を備え、予め複数の利用者をグループ登録し、該グループ登録された利用者の一人が、前記選曲予約装置でログイン操作したときに前記カラオケ端末装置と選曲予約装置との間でログイン情報を通信し、カラオケ端末装置は前記カラオケホスト装置へログイン情報を転送するとともに、当該利用者がグループ登録しているグループの他の利用者のログイン情報が前記カラオケホスト装置を介して他のカラオケ端末装置から転送されたときは、該他の利用者のログイン情報を受信して前記当該利用者の選曲予約装置へそのログイン情報を送信し、異なる場所に存在するカラオケ端末装置の選曲予約装置で前記グループ登録されている複数の利用者がログイン情報を交換可能に構成されてなることを特徴とするログイン情報付きカラオケ装置。
【発明の詳細な説明】
【技術分野】
【０００１】
本発明はログイン情報付きカラオケ装置に関するものであり、特に、ネットワーク通信によりカラオケ端末装置とカラオケホスト装置との通信を行うとともに、ローカル通信によりカラオケ端末装置と選曲予約装置との通信を行い、選曲予約装置からの利用者ＩＤを伴った利用者情報をカラオケホスト装置に送信してログイン情報を表示するようにしたログイン情報付きカラオケ装置に関するものである。
【背景技術】
【０００２】
ネットワーク通信によりカラオケホスト装置から種々の楽曲データを配信するカラオケ装置が知られている。所謂カラオケボックスと称される店舗に設置されているカラオケ装置は、利用者が選曲予約装置（リモコン装置）により所望の曲目を選曲して予約すると、カラオケ端末装置に記憶されている該当曲の伴奏音楽データと歌詞画像のデータなどのカラオケデータを再生し、カラオケ端末装置に該当曲のカラオケデータが記憶されていないときは、ネットワーク通信によりホストコンピュータから該当曲のカラオケデータをダウンロードしてカラオケ端末装置にて再生するものである。
【０００３】
ここで、利用者がカラオケ装置を利用する際に、携帯電話機にて所定のサーバにアクセスし、ここから当該利用者の個人別曲目リストなどをダウンロードして不揮発性メモリに登録して選曲できるようにしたカラオケ装置が知られている（例えば特許文献１参照）。
【０００４】
カラオケ装置は、利用者がネットワーク通信を意識することなく、気軽にコンテンツを楽しむことができるため、全国各所に多数のカラオケ店舗が存在している。従って、このカラオケ装置を利用して、利用者の仲間同士の存在情報などを知ることができれば、極めて至便である。
【特許文献１】特開２０００−１４８１６９号公報
【発明の開示】
【発明が解決しようとする課題】
【０００５】
特許文献１記載の発明は、利用者毎に個人別曲目リストなどを利用できるので便利である。しかし、利用者の仲間同士の存在情報を交換できるようにはなっていない。
【０００６】
そこで、カラオケ装置の利用者がログイン操作を行うことにより当該利用者の個人別曲目リストなどを表示できるようにするとともに、このログイン情報に基づいて利用者の仲間同士の存在情報を交換できるようにするために解決すべき技術的課題が生じてくるのであり、本発明はこの課題を解決することを目的とする。
【課題を解決するための手段】
【０００７】
本発明は上記目的を達成するために提案されたものであり、請求項１記載の発明は、  ネットワーク通信によりカラオケ端末装置とカラオケホスト装置との通信を行うとともに、ローカル通信によりカラオケ端末装置と選曲予約装置との通信を行うカラオケ装置であって、
前記選曲予約装置は利用者ＩＤを伴ったログイン操作手段を備え、予め複数の利用者をグループ登録し、該グループ登録された利用者の一人が、前記選曲予約装置でログイン操作したときに前記カラオケ端末装置と選曲予約装置との間でログイン情報を通信し、カラオケ端末装置は前記カラオケホスト装置へログイン情報を転送するとともに、当該利用者がグループ登録しているグループの他の利用者のログイン情報が前記カラオケホスト装置を介して他のカラオケ端末装置から転送されたときは、該他の利用者のログイン情報を受信して前記当該利用者の選曲予約装置へそのログイン情報を送信し、異なる場所に存在するカラオケ端末装置の選曲予約装置で前記グループ登録されている複数の利用者がログイン情報を交換可能に構成されてなるログイン情報付きカラオケ装置を提供する。
【０００８】
この構成によれば、利用者が選曲予約装置でログイン操作を行うと、ローカル通信によりカラオケ端末装置へログイン情報が送られる。このログイン情報はネットワーク通信によりカラオケホスト装置へ転送される。当該利用者と同一の仲間登録をしている他の利用者のログイン情報が他のカラオケ端末装置からカラオケホスト装置に届いているときは、カラオケホスト装置は他の利用者が存在している他のカラオケ端末装置へ当該利用者のログイン情報を転送するとともに、他の利用者のログイン情報を当該利用者が存在する前記カラオケ端末装置へ転送する。該他の利用者のログイン情報が前記カラオケ端末装置に転送されると、このログイン情報は選曲予約装置へ送信される。斯くして、同一の仲間登録をしている利用者同士がカラオケ端末装置の選曲予約装置を利用して夫々のログイン情報が交換される。
【００１０】
この構成によれば、選曲予約装置に備えられているログイン操作手段で、利用者が自分の利用者ＩＤを伴ったログイン操作を行うと、このログイン情報はカラオケ端末装置へ送信される。また、同一の仲間登録する操作手段で、複数の利用者が同一の仲間登録を行えば、複数の利用者が同一の仲間（グループ）として登録され、各利用者のログイン情報を交換可能となる。
【００１２】
この構成によれば、選曲予約装置に備えられているログイン情報を受信する手段で、自分の利用者ＩＤに対する他の利用者のログイン情報をカラオケ端末装置から受信すると、このログイン情報は選曲予約装置に備えられているログイン情報を表示する手段に表示される。
【００１４】
この構成によれば、選曲予約装置から利用者ＩＤを伴ったログイン情報が送信されると、カラオケ端末装置はこのログイン情報をカラオケホスト装置へ転送する。カラオケホスト装置から当該利用者と同一の仲間登録をしている他の利用者からログイン情報が送信されると、カラオケ端末装置はこのログイン情報を受信して前記選曲予約装置へ送信する。
【発明の効果】
【００１５】
本発明は、予め複数の利用者で同一の仲間登録をしている利用者の一人が選曲予約装置でログイン操作を行うことにより、このログイン情報がカラオケ端末装置からネットワーク通信によりカラオケホスト装置へ送信され、もし、当該利用者と同一の仲間登録をしている他の利用者のログイン情報があれば、前記選曲予約装置に他の利用者のログイン情報が表示されるので、当該利用者は同一の仲間登録している他の利用者が現在何処のカラオケ店舗にいるか等の情報を知ることができる。従って、双方の利用者が携帯電話などで連絡をとったり、或いは、離れた場所に存在しながら双方の利用者がデュエットを歌うなど、あたかも同一の場所にいるように同時にカラオケを楽しむことが可能となる。
【発明を実施するための最良の形態】
【００１６】
以下、本発明に係るカラオケ装置について、好適な実施例をあげて説明する。カラオケ装置の利用者がログイン操作を行うことにより当該利用者の個人別曲目リストなどを表示できるようにするとともに、このログイン情報に基づいて利用者の仲間同士の存在情報を交換できるようにするという目的を、選曲予約装置はログイン操作手段を備え、予め複数の利用者で同一の仲間登録している利用者の一人が、前記選曲予約装置でログイン操作したときにカラオケ端末装置と選曲予約装置との間でログイン情報を通信し、カラオケ端末装置はカラオケホスト装置へログイン情報を転送するとともに、当該利用者と同一の仲間登録している他の利用者のログイン情報があればこのログイン情報を受信して選曲予約装置へそのログイン情報を送信し、異なる場所に存在するカラオケ端末装置の選曲予約装置で同一の仲間登録している複数の利用者がログイン情報を交換可能に構成することにより実現した。
【実施例】
【００１７】
図１はカラオケ装置のネットワーク構成図であり、カラオケ店舗１００内には各部屋にカラオケ端末装置１０が設置されており、夫々のカラオケ端末装置１０をルータ１１０に接続して店舗内ＬＡＮ１２０が構築されている。この店舗内ＬＡＮ１２０はＶＰＮ（Virtual Private Network）等のネットワーク通信１３０によりカラオケホスト装置１４０に接続されるとともに、電子マネー決済用ホストサーバ１５０に接続される。
【００１８】
前記カラオケ端末装置１０には選曲予約装置５０が付帯しており、利用者は該選曲予約装置５０により所望の楽曲を選択してカラオケ端末装置１０へ演奏予約信号を送信し、カラオケ端末装置１０に記憶されている該当曲の伴奏音楽データと歌詞画像のデータ等のカラオケデータが再生される。もし、カラオケ端末装置１０に該当曲のカラオケデータが記憶されていないときは、ネットワーク通信１３０を介した通信によりカラオケホスト装置１４０から該当曲のカラオケデータをダウンロードしてカラオケ端末装置１０にて再生する。
【００１９】
前記選曲予約装置５０は、ワイヤレスリモコンである選曲予約装置本体５１と、この選曲予約装置本体５１の受台であるクレードル５２とからなり、前記選曲予約装置本体５１には通常の電子目次本（所謂デンモク）の他に電話機能が具備されている。また、クレードル５２には充電機能や通信機能の他にＩＣカードのリード機能が具備されている。
【００２０】
前記選曲予約装置５０と前記カラオケ端末装置１０は、クレードル５２を経由してのＬＡＮ、或いは、無線ＬＡＮやブルートゥース等、任意のローカル通信によってＩＰ電話データを通信し、カラオケ端末装置１０はネットワーク通信１３０によりカラオケホスト装置１４０を介して他のカラオケ端末装置（図示せず）とＩＰ電話データを通信する。従って、異なる場所に存在するカラオケ端末装置同士で電話通信ができるように構成されている。
【００２１】
前記選曲予約装置本体５１をクレードル５２に装着した状態で、利用者ＩＤとプリペイド金額が記録されているＩＣカードを前記選曲予約装置５０に読み込ませれば、ＩＣカードから取得した利用者ＩＤとプリペイド金額等の利用者情報がローカル通信によりカラオケ端末装置１０へ送信され、この利用者情報がネットワーク通信１３０によりカラオケホスト装置１４０へ転送される。
【００２２】
また、当該利用者が電話機能をはじめとする有料コンテンツを利用したときは、カラオケホスト装置１４０は当該利用者に対して所定金額を課金し、この課金情報がネットワーク通信１３０により電子マネー決済用ホストサーバ１５０と当該利用者が利用しているカラオケ端末装置１０へ送られる。電子マネー決済用ホストサーバ１５０は、この課金情報に基づいて当該利用者のデータベースに記憶されているプリペイド金額から所定金額を引き落として決済し、この決済結果をネットワーク通信１３０によりカラオケホスト装置１４０へ送信する。カラオケホスト装置１４０はこの決済情報を受け取ると、支払金額管理手段の返金情報テーブルを参照して、当該利用者のプリペイド残額情報をネットワーク通信１３０により当該利用者が利用しているカラオケ端末装置１０へ送信する。
【００２３】
図２はカラオケ端末装置１０と選曲予約装置５０とその他の周辺機器のブロック図であり、カラオケ装置１０は、内部にＣＰＵ、ＲＡＭ、ＲＯＭ等を含む中央制御部１１を有し、ＬＡＮインターフェース１２をルータ１１０に接続して店舗内ＬＡＮ１２０が構築されている。当該カラオケ端末装置１０はネットワーク通信１３０に接続することにより、前記カラオケホスト装置１４０から配信されるカラオケデータを受け取り、受け取ったカラオケデータをハードディスク装置１３に格納する。
【００２４】
前記カラオケデータは、カラオケ楽曲の伴奏音楽を生成するための楽曲データと、後述するモニタ２２に出力される歌詞画像を生成するための歌詞描出データとを含んでいる。楽曲データはＭＩＤＩ規格等によって符号化された音源制御情報であり、歌詞描出データはコード化された歌詞文字群や歌唱時期指示等の情報を含んでいる。
【００２５】
利用者が所望するカラオケ楽曲は、選曲予約装置５０の選曲予約装置本体５１に備えられている電子目次機能により、特定の楽曲番号、或いは、楽曲名や歌手名または歌詞の一部などを入力することにより選曲情報が得られる。この選曲情報を選曲予約装置本体５１から赤外線信号等のローカル通信にて送信すると、カラオケ端末装置１０に備えられているリモコン用の受信部１４にて受信され、受信された選曲情報は操作制御部１５を介して前記中央制御部１１に送られる。或いは、カラオケ端末装置１０本体に設けられている操作パネル１６にて直接楽曲番号を入力することにより、操作パネル１６から操作制御部１５を介して前記中央制御部１１に選曲情報が送られる。
【００２６】
中央制御部１１は操作制御部１６から選曲情報を受け取ると、該当するカラオケデータを前記ハードディスク装置１３から読み出す。選曲情報に該当するカラオケデータがハードディスク装置１３に存在しないときは、前述したＬＡＮインターフェース１２及びルータ１１０を介して通信ネットワーク１３０と接続し、前記カラオケホスト装置１４０から該当するカラオケデータをダウンロードしてハードディスク装置１３に格納する。
【００２７】
そして、中央制御部１１は該当するカラオケデータから楽曲データをシンセサイザ１７に順次転送し、該シンセサイザ１７はこの楽曲データに従って伴奏音楽を生成する。シンセサイザ１７によって生成された伴奏音楽は、ミキシングアンプ１８を通ってスピーカ１９から再生される。中央制御部１１はこの伴奏音楽の生成に同期させて歌詞描出データを処理し、歌詞文字群を順次ビデオＲＡＭ２０にビットマップ展開させる。また、利用者が歌唱する音声はマイク２１に集音され、前記ミキシングアンプ１８で伴奏音楽とミキシングされてスピーカ１９から再生される。
【００２８】
更に、中央制御部１１はＤＶＤチェンジャ２２を制御し、ＤＶＤ（図示せず）に収録されている背景映像を再生する。そして、中央制御部１１は映像制御部２３を制御して前記背景映像に前記歌詞文字群をスーパーインポーズし、背景映像と歌詞文字群を前述したモニタ２４の画面に表示させる。
【００２９】
ここで、選曲予約装置５０の選曲予約装置本体５１には曲目検索のための電子目次機能のほかに、歌唱検定機能や電話機能などの有料コンテンツを利用する際の各種操作機能を備えており、クレードル５２は選曲予約装置本体５１を充電する際の受台であるとともに、ＩＣカードのリード機能を具備している。そして、前記各種の有料コンテンツを利用する際は選曲予約装置本体５１をクレードル５２に装着し、ＬＡＮ或いは無線ＬＡＮやブルートゥース等任意のローカル通信によって、カラオケ端末装置１０に備えられている通信インターフェース２５を介して双方向通信するように構成されている。
【００３０】
また、プリンタ１６０は、カラオケ端末装置１０に備えられているＵＳＢインターフェース２６に接続され、ネットワーク通信１３０によって送られてきた歌唱検定の認定書や採点結果等のプリントを行う。
【００３１】
図３乃至図６は選曲予約装置５０の選曲予約装置本体５１とクレードル５２の外観図であり、選曲予約装置本体５１はその中央部にカラー液晶ディスプレイとタッチセンサとを積層したタッチスクリーン５３が設けられ、その左右両側にスピーカ５４が配置されている。タッチスクリーン５３の上部にはデジタルカメラ５５が設けられ、利用者が選曲予約装置本体５１を両手で把持して顔の正面に対峙させながらシャッターボタン５７を押下すれば、該デジタルカメラ５５にて利用者の顔が撮影されてフラッシュメモリ等の内蔵メモリに画像データとして記憶される。また、選曲予約装置本体５１の図中上端中央部には赤外線リモコンの発信部５７が設けられ、利用者が所望する楽曲の選曲情報を赤外線信号にてカラオケ端末装置１０の受信部１４へ送信する。尚、該選曲予約装置本体５１の上部に補助ライト（図示せず）を装着可能となっており、前述したデジタルカメラ５５により利用者の顔を撮影する際に、この補助ライトを点灯すれば撮影に必要な所定の明るさを確保することができる。
【００３２】
一方、クレードル５２はその上面中央部に選曲予約装置本体の装着部５８が設けられ、この装着部５８に選曲予約装置本体５１の下部を差し込むことにより、図示は省略するが、選曲予約装置本体５１の下部に設けられている電源入力端子と通信端子とが、クレードル５２の装着部５８内に設けられている電源出力端子と通信端子とに接続される。該クレードル５２はカラオケ端末装置１０にＬＡＮ接続されており、カラオケ端末装置１０を介して選曲予約装置本体５１とカラオケホスト装置１４０との間で利用者情報や各種有料コンテンツの情報等を双方向通信する。
【００３３】
また、該クレードル５２の正面中央部にＩＣカードリーダー５９が設けられている。カラオケ事業者は利用者からの要望に基づいて、利用者ＩＤが記録されているＩＣカード６０を交付し、利用者は予め特定の入金機により自分のＩＣカード６０に任意の金額を入金（チャージ）すると、そのときの入金金額とその時点でのプリペイド金額（残額）がＩＣカード６０に記録される。本発明では非接触型のＩＣカード６０を使用するため、ＩＣカード６０をスロットルに挿入する必要がなく、選曲予約装置本体５１をクレードル５２に装着した状態で、利用者が自分のＩＣカード６０をＩＣカードリーダー５９へ脱落しないように載置すれば、選曲予約装置本体５１に内蔵されている制御部の制御により、利用者ＩＤとプリペイド金額が記録されているＩＣカード６０から利用者情報を取得する。
【００３４】
該クレードル５２の正面一側部に映像切換ボタン６１が設けられ、選曲予約装置本体５１をクレードル５２に装着した状態で映像切換ボタン６１を押下すれば、前記カラオケ端末装置１０側のモニタ２４に表示される背景映像と歌詞文字群等が選曲予約装置本体５１のタッチスクリーン５３に表示されるように構成されている。即ち、選曲予約装置本体５１をカラオケ映像のモニタとしても使用することが可能である。そして、映像切換ボタン６１を再度押下することにより、選曲予約装置本体５１のタッチスクリーン５３は通常の初期画面を表示する。
【００３５】
更に、クレードル５２の正面他側部に電話機６２が設けられている。この電話機６２は、異なる場所に存在するカラオケ端末装置１０の利用者同士が、カラオケホスト装置１４０を介してネットワーク通信１３０で電話通信を行うためのものである。尚、図示は省略するが、選曲予約装置本体５１に電話機を設けてもよい。このように、選曲予約装置５０に電話機能を具備させることにより、カラオケ装置の利用者は気軽にＩＰ電話で通話することができる。
【００３６】
図７は選曲予約装置本体５１のタッチスクリーン５３が通常の初期画面（トップ画面）を表示している状態を示し、画面中央に「メンバーズゲート」ボタン７０があり、その周囲に「デンモク」ボタン７１、「カメラ撮影会」ボタン７２、「歌唱検定」ボタン７３、「ＩＰ電話」ボタン７４が配置されている。また、前記「メンバーズゲート」ボタン７０の下方位置に「最新情報」ボタン７５、「遊ぼう」ボタン７６が配置され、その左右位置に「印刷」ボタン７７、「残高照会」ボタン７８が配置されている。
【００３７】
利用者が「メンバーズゲート」ボタン７０にタッチすると、「メンバーズゲート」ボタン７０の明るさが他のボタンよりも明るくなって、当該ボタンが選択されたことを明確に表示する。そして、図８に示すように、タッチスクリーン５３には利用者のＩＣカードをセットするようにメッセージが表示される。このメッセージに従って、図６に示したように、利用者が自分のＩＣカード６０をＩＣカードリーダー５９へ脱落しないように載置すれば、選曲予約装置本体５１に内蔵されている制御部の制御によりログイン操作が行われ、利用者ＩＤとプリペイド金額が記録されているＩＣカード６０から利用者情報を取得する。
【００３８】
この利用者情報は選曲予約装置５０（選曲予約装置本体５１とクレードル５２）からカラオケ端末装置１０へ送信され、更に、ネットワーク通信１３０によりカラオケホスト装置１４０へ転送される。そして、この利用者ＩＤに基づいてカラオケホスト装置１４０のデータベースから当該利用者のマイリストやランキング履歴、或いは、撮影済みの顔写真の画像データ等の利用者情報が抽出され、この利用者情報がカラオケ端末装置１０へ転送される。斯くして、図９に示すように、前記選曲予約装置本体５１のタッチスクリーン５３に、例えば「△さんがログインしました」等のメッセージ７９とともに、１番目のマスに当該利用者の顔写真８０が表示される。
【００３９】
同様にして、カラオケボックスに同室している複数の利用者が、夫々各自の利用者ＩＤが登録されているＩＣカード６０を選曲予約装置５０のＩＣカードリーダー５９へセットしてログイン操作を行えば、図１０に示すように、タッチスクリーン５３に各自の顔写真８０，８１，８２が表示されてログイン中であることを告知する。更に、任意の利用者の顔写真が表示されているマス、例えば写真８０をタッチすれば、図１１に示すように、当該利用者の名前（またはニックネーム）８４とともに顔写真８０が表示され、当該利用者のマイリストやランキング履歴などの利用者情報が表示される。従って、利用者はマイリストから自分の得意としている曲目を選択することができる。或いは、過去の履歴を参照して、新たな楽曲を選択すべく、図７に示した初期画面から「デンモク」ボタン７１にタッチして、電子目次本に記録されている任意の曲目を選択することもできる。
【００４０】
ここで、「仲間登録」に関する機能について説明する。「仲間登録」とは、予め複数の利用者で同一の仲間登録しておくことにより、後述する「仲間情報」の確認操作によって、当該利用者と同一の仲間登録している他の利用者のログイン情報が分かり、その時点で他の利用者が何処の店舗に存在しているか否かが表示されるようになる。例えば、図１２に示すように、ログイン中の各利用者の顔写真が表示されている画面に於いて、「仲間登録」ボタン６５を選択して、任意の利用者の顔写真８０をタッチすれば、タッチされた利用者を仲間登録するかどうかの確認が行われ、図１３に示すように、「ＯＫ」ボタン６６をタッチすることにより、顔写真８０の利用者が仲間登録される。
【００４１】
続いて、別の利用者の顔写真８１をタッチすれば、タッチされた利用者を仲間登録するかどうかの確認が行われ、前述と同様に、「ＯＫ」ボタン６６をタッチすることにより、顔写真８１の利用者が前記顔写真８０の利用者と同一の仲間登録がなされる。更に、別の利用者の顔写真８２をタッチして仲間登録すれば、前記３人の利用者が同一の仲間に登録される。
【００４２】
このように、予め複数の利用者で同一の仲間登録しておき、その中の利用者の一人、例えば顔写真８０の利用者が、あるカラオケ店舗に入店してカラオケ装置を利用した場合に、図７から図９に示して手順によってログイン操作を行えば、図１に示すように、当該利用者のログイン情報が選曲予約装置５０からカラオケ端末装置１０へ送信され、更に、ネットワーク通信１３０によりカラオケホスト装置１４０へこのログイン情報が送られる。そして、カラオケホスト装置１４０は当該利用者のログイン情報に基づき、前述したように、データベースから当該利用者のマイリストやランキング履歴、或いは、撮影済みの顔写真の画像データ等の利用者情報が抽出され、この利用者情報がカラオケ端末装置１０へ転送され、前記選曲予約装置本体５１のタッチスクリーン５３に、「△さんがログインしました」等のメッセージ７９とともに、１番目のマスに当該利用者の顔写真８０が表示される。
【００４３】
ここで、前述の仲間登録をしている利用者に対しては、図１４に示すように、「相手にログイン情報を知らせる」かどうかを問い合わせる画面が現れる。このとき、「はい」ボタン６７にタッチすれば、この承諾信号がネットワーク通信１３０により前記カラオケホスト装置１４０へ送られて、当該利用者と同一の仲間登録している他の利用者に対して、当該利用者のログイン情報が公開可能な状態となる。これに対して、カラオケを利用すべく当該利用者はログイン操作を行ったが、種々の理由で、今回は仲間登録した他の利用者にログインを知らせたくない場合は、「相手にログイン情報を知らせる」かどうかの問い合わせに対して、「いいえ」ボタン６８にタッチすれば、この不承諾信号がネットワーク通信１３０により前記カラオケホスト装置１４０へ送られて、当該利用者と同一の仲間登録している他の利用者に対して、当該利用者のログイン情報が非公開状態となる。従って、当該利用者のプライバシーが保護される。
【００４４】
そして、仲間登録した他の利用者にログイン情報を公開可能にした後、「仲間情報を確認する」かどうかの問い合わせに対して、「はい」ボタン６９にタッチすれば、この確認要求信号がネットワーク通信１３０により前記カラオケホスト装置１４０へ送られる。カラオケホスト装置１４０は当該利用者と同一の仲間登録したすべての利用者のログイン情報を検索し、その時点でログインしている利用者の所在等の仲間情報をさきほど確認要求があった前記カラオケ端末装置１０へ送信する。
【００４５】
この仲間情報はカラオケ端末装置１０から当該利用者の選曲予約装置５０へ送られて、図１５に示すように、前記選曲予約装置本体５１のタッチスクリーン５３に全国の地図が表示されるとともに、当該利用者と同一の仲間登録しているすべての利用者の名前（ニックネーム）とログインしている場所が表示される。図示例では、北海道に「龍ちゃん」という利用者がログインしており、東京に「大ちゃん」と「梅ちゃん」がログインし、福岡に「ノムさん」がログインしていることが分かる。
【００４６】
更に、当該利用者が前記タッチスクリーン５３の「拡大」ボタン９７にタッチすれば、図１６に示すように、東京ゾーンの拡大図が表示されるとともに、「大ちゃん」は銀座の第一タンポポというスナック（Ｓ）のカラオケ端末でログインしており、「梅さん」は大崎の大型エコーというカラオケボックスの２６号室にログインしていることが表示される。他のゾーンを表示させたい場合は同図に示す「縮小」ボタン９８にタッチすれば、図１５に示す全国地図の画面に戻る。
【００４７】
このように、当該利用者と同一の仲間登録している他の利用者のログイン情報が分かるので、他の利用者が現在何処のカラオケ店舗にいるか等の情報を知ることができ、双方の利用者が選曲予約装置５０に備えられているＩＰ電話で連絡をとったり、或いは、離れた場所に存在しながら双方の利用者がデュエットを歌うなど、あたかも同一の場所にいるように同時にカラオケを楽しむことが可能となる。
【００４８】
而して、当該利用者が選曲予約装置５０から自分のＩＣカードを取り外し、図１２に示す選曲予約装置本体５１のタッチスクリーン５３の「ログアウト」ボタン９９にタッチすれば、カラオケ端末装置１０及び選曲予約装置５０に一時的に記憶されていた当該利用者の個人的な情報が消去されるため、他の利用者に個人情報が漏洩する虞はない。
【００４９】
尚、本発明は、本発明の精神を逸脱しない限り種々の改変を為すことができ、そして、本発明が該改変されたものに及ぶことは当然である。
【図面の簡単な説明】
【００５０】
図は本発明の一実施の形態を示すものである。
【図１】カラオケ装置のネットワーク構成図。
【図２】カラオケ端末装置と選曲予約装置とその他の周辺機器のブロック図。
【図３】選曲予約装置の選曲予約装置本体を示し、（ａ）正面図、（ｂ）側面図。
【図４】選曲予約装置のクレードルを示し、（ａ）正面図、（ｂ）側面図。
【図５】選曲予約装置の選曲予約装置本体をクレードルに装着した状態を示し、（ａ）正面図、（ｂ）側面図。
【図６】図５に示した状態でＩＣカードリーダーにＩＣカードを装着する手順を説明する正面図。
【図７】初期画面を表示した選曲予約装置本体のタッチスクリーンの正面図。
【図８】メンバーズゲート利用時にＩＣカードをセットするメッセージを表示した選曲予約装置本体のタッチスクリーンの正面図。
【図９】当該利用者のログインを表示した選曲予約装置本体のタッチスクリーンの正面図。
【図１０】ログイン中の利用者の顔写真を表示した選曲予約装置本体のタッチスクリーンの正面図。
【図１１】ログイン中の利用者の利用者情報を表示した選曲予約装置本体のタッチスクリーンの正面図。
【図１２】仲間登録する過程を表示した選曲予約装置本体のタッチスクリーンの正面図。
【図１３】仲間登録する過程を表示した選曲予約装置本体のタッチスクリーンの正面図。
【図１４】相手にログイン情報を知らせるかどうかの確認過程を表示した選曲予約装置本体のタッチスクリーンの正面図。
【図１５】仲間登録した利用者の全国的所在位置を表示した選曲予約装置本体のタッチスクリーンの正面図。
【図１６】仲間登録した利用者の地域的所在位置を表示した選曲予約装置本体のタッチスクリーンの正面図。
【符号の説明】
【００５１】
１０  カラオケ端末装置
５０  選曲予約装置
５１  選曲予約装置本体
５２  クレードル
５９  ＩＣカードリーダー
６０  ＩＣカード
６２  電話機
１００  カラオケ店舗
１１０  ルータ
１２０  店舗内ＬＡＮ
１３０  ネットワーク通信
１４０  カラオケホスト装置
１５０  電子マネー決済用ホストサーバ
１６０  プリンタ
【図１】
0004493584.tif 000002
【図２】
0004493584.tif 000003
【図３】
0004493584.tif 000004
【図４】
0004493584.tif 000005
【図５】
0004493584.tif 000006
【図６】
0004493584.tif 000007
【図７】
0004493584.tif 000008
【図８】
0004493584.tif 000009
【図９】
0004493584.tif 000010
【図１０】
0004493584.tif 000011
【図１１】
0004493584.tif 000012
【図１２】
0004493584.tif 000013
【図１３】
0004493584.tif 000014
【図１４】
0004493584.tif 000015
【図１５】
0004493584.tif 000016
【図１６】
0004493584.tif 000017